(57)【要約】【課題】飾り部材無し及び飾り部材付きの両モデルでキャビネットを共用し、飾り部材無しモデルで飾り部材収容用に設けた隙間等を塞ぐための余分な部品を不要としつつ、内部への異物の混入を抑制することができるキャビネットを提供する。【解決手段】内部空間を形成するように結合された複数のキャビネット部材２Ａ，２Ｂと、該キャビネット部材に取り付けられた飾り部材３とを備え、飾り部材３は、複数のキャビネット部材２Ａ，２Ｂのいずれか２つの間に配置され、該キャビネット部材に離脱不能に取り付けられる取付部３１Ｂと、該取付部３１Ｂに一体に形成されて外側に位置する飾り部３２とを有しており、２つのキャビネット部材の少なくとも一方に、取付部３１Ｂを配置するために２つのキャビネット部材の間に形成される隙間２５Ｂを塞ぐように突出した塞ぎ部２８Ａが設けてある。【選択図】図５
2010157876.tif 000002
【特許請求の範囲】
【請求項１】
内部空間を形成するように結合された複数のキャビネット部材と、該キャビネット部材に取り付けられた飾り部材とを備えたキャビネットにおいて、
前記飾り部材は、前記複数のキャビネット部材のいずれか２つの間に配置され、該キャビネット部材に離脱不能に取り付けられる取付部と、該取付部に一体に形成されて外側に位置する飾り部とを有しており、
前記２つのキャビネット部材の少なくとも一方に、前記取付部を配置するために前記２つのキャビネット部材の間に形成される隙間又は該隙間に隣接し内部空間へ通じる空間部分を塞ぐように突出した塞ぎ部が設けてあることを特徴とするキャビネット。
【請求項２】
前記取付部は前記塞ぎ部に係止される被係止部を備えていることを特徴とする請求項１に記載のキャビネット。
【請求項３】
前記２つのキャビネット部材の少なくとも一方に、前記取付部を係止する係止部が設けてあり、前記取付部は該係止部に係止される被係止部を備えていることを特徴とする請求項１に記載のキャビネット。
【請求項４】
前記２つのキャビネット部材の少なくとも一方は、前記隙間を形成するための切欠を有していることを特徴とする請求項１から３のいずれか１項に記載のキャビネット。
【請求項５】
前記キャビネット部材は板材にて構成され、前記２つのキャビネット部材の少なくとも一方は、前記取付部に当接する箇所に板面と交差する方向に延設されて前記取付部を受け止める受け部を有していることを特徴とする請求項１から４のいずれか１項に記載のキャビネット。
【請求項６】
前記取付部は前記２つのキャビネット部材のいずれか一方にネジ止めしてあることを特徴とする請求項１から５のいずれか１項に記載のキャビネット。
【請求項７】
前記取付部は前記２つのキャビネット部材のいずれか一方に係合する突起部を有し、該一方のキャビネット部材は該突起部に係合される被係合部を備えていることを特徴とする請求項１から６のいずれか１項に記載のキャビネット。
【請求項８】
請求項１から７のいずれか１項に記載のキャビネットを備え、キャビネットの内部に表示パネルを配置してあり、前記２つのキャビネット部材は、該表示パネルの表示面の位置に対応する開口を有し、該表示面の前側に配置された前キャビネット部材及び該前キャビネット部材と周縁部で嵌合し、前記表示パネルの側部及び後部側を覆うように配置された後キャビネット部材であり、前記飾り部材の取付部は前記前キャビネット部材及び後キャビネット部材の周縁部の間に形成された隙間に配置してあることを特徴とする表示装置。
【発明の詳細な説明】
【技術分野】
【０００１】
本発明は、飾り部材を取り付けることができるキャビネット、及び該キャビネットを備えた表示装置に関する。
【背景技術】
【０００２】
液晶ディスプレイ、プラズマディスプレイ等の薄型テレビジョンにおいて、意匠性を向上させる目的で、筺体（キャビネット）の周縁部に飾り部材を取り付ける場合がある（例えば、特許文献１参照）。さらに、飾り部材の有無によって別のモデルとして販売することがなされている。飾り部材を筺体に取り付けるために、筺体には飾り部材に設けた突起等に嵌合する穴もしくは溝、又は、飾り部材を収容する切欠等を形成している。
【特許文献１】特開２００５−３３８５６６号公報
【発明の開示】
【発明が解決しようとする課題】
【０００３】
従来の表示装置では、飾り部材無しのモデルと飾り部材付きのモデルとで筺体を共用する場合、飾り部材無しモデルでは内部に異物が混入しないように筺体に開けた穴、溝、切欠等を別部品で塞ぐ必要があった。そのため、飾り部材無しモデル用に、筺体に設けた穴、溝、切欠等を塞ぐための余分な部品を用意する必要があり、また、該部品を筺体に取り付ける手間も余分にかかるという不都合があった。
【０００４】
本発明は、上述したような事情に鑑みてなされたものであり、飾り部材無しモデル及び飾り部材付きモデルでキャビネットを共用する場合に、飾り部材を収容するために設けた隙間等を飾り部材無しモデルで塞ぐための余分な部品を不要としつつ、飾り部材無しモデルで内部への異物の混入を抑制することができるキャビネット、及び、該キャビネットを備えた表示装置を提供することを目的とする。
【課題を解決するための手段】
【０００５】
本発明に係るキャビネットは、内部空間を形成するように結合された複数のキャビネット部材と、該キャビネット部材に取り付けられた飾り部材とを備えたキャビネットにおいて、前記飾り部材は、前記複数のキャビネット部材のいずれか２つの間に配置され、該キャビネット部材に離脱不能に取り付けられる取付部と、該取付部に一体に形成されて外側に位置する飾り部とを有しており、前記２つのキャビネット部材の少なくとも一方に、前記取付部を配置するために前記２つのキャビネット部材の間に形成される隙間又は該隙間に隣接し内部空間へ通じる空間部分を塞ぐように突出した塞ぎ部が設けてあることを特徴とする。
【０００６】
本発明によれば、飾り部材をキャビネットに取り付けた場合は、飾り部材の取付部が内部空間を形成するように結合された複数のキャビネット部材のいずれか２つの間に配置されて該キャビネット部材に離脱不能に取り付けられ、取付部に一体に形成された飾り部材の飾り部がキャビネットの外側に位置する。飾り部材をキャビネットに取り付けていない場合は、飾り部材の取付部を配置するために前記２つのキャビネット部材の間に形成される隙間又は該隙間に隣接し内部空間へ通じる空間部分が、２つのキャビネット部材の少なくとも一方に該隙間又は空間部分に突出するように設けた塞ぎ部によって塞がれる。
【０００７】
本発明に係るキャビネットは、前述の発明における取付部は前記塞ぎ部に係止される被係止部を備えていることを特徴とする。
本発明によれば、飾り部材をキャビネットに取り付けた場合に、飾り部材の取付部に備えた被係止部がキャビネット部材に設けた前記塞ぎ部に係止され、飾り部材の取付部がキャビネット部材に離脱不能に取り付けられる。
【０００８】
本発明に係るキャビネットは、前述の発明における２つのキャビネット部材の少なくとも一方に、前記取付部を係止する係止部が設けてあり、前記取付部は該係止部に係止される被係止部を備えていることを特徴とする。
本発明によれば、飾り部材をキャビネットに取り付けた場合に、飾り部材の取付部に備えた被係止部が前記２つのキャビネット部材の少なくとも一方に設けた係止部に係止され、飾り部材の取付部がキャビネット部材に離脱不能に取り付けられる。
【０００９】
本発明に係るキャビネットは、前述の発明における２つのキャビネット部材の少なくとも一方は、前記隙間を形成するための切欠を有していることを特徴とする。
本発明によれば、飾り部材をキャビネットに取り付ける場合に、飾り部材の取付部が前記２つのキャビネット部材の少なくとも一方が有する切欠に収容される。
【００１０】
本発明に係るキャビネットは、前述の発明におけるキャビネット部材は板材にて構成され、前記２つのキャビネット部材の少なくとも一方は、前記取付部に当接する箇所に板面と交差する方向に延設されて前記取付部を受け止める受け部を有していることを特徴とする。
本発明によれば、飾り部材をキャビネットに取り付けた場合に、飾り部材の取付部は、板材にて構成された２つのキャビネット部材の少なくとも一方に板面と交差する方向に延設された受け部に当接して受け止められる。
【００１１】
本発明に係るキャビネットは、前述の発明における取付部は前記２つのキャビネット部材のいずれか一方にネジ止めしてあることを特徴とする。
本発明によれば、飾り部材をキャビネットに取り付ける場合に、飾り部材の取付部は、２つのキャビネット部材のいずれか一方にネジ止めされる。
【００１２】
本発明に係るキャビネットは、前述の発明における取付部は前記２つのキャビネット部材のいずれか一方に係合する突起部を有し、該一方のキャビネット部材は該突起部に係合される被係合部を備えていることを特徴とする。
本発明によれば、飾り部材をキャビネットに取り付ける場合に、取付部に備えた突起部が２つのキャビネット部材のいずれか一方に備えた被係合部に係合する。
【００１３】
本発明に係る表示装置は、前述の発明に係るキャビネットを備え、キャビネットの内部に表示パネルを配置してあり、前記２つのキャビネット部材は、該表示パネルの表示面の位置に対応する開口を有し、該表示面の前側に配置された前キャビネット部材及び該前キャビネット部材と周縁部で嵌合し、前記表示パネルの側部及び後部側を覆うように配置された後キャビネット部材であり、前記飾り部材の取付部は前記前キャビネット部材及び後キャビネット部材の周縁部の間に形成された隙間に配置してあることを特徴とする。
【００１４】
本発明によれば、表示パネルの表示面の位置に対応する開口を有する前キャビネット部材を表示パネルの表示面の前側に配置し、表示パネルの側部及び後部側を覆う後キャビネット部材を前キャビネット部材と周縁部で嵌合させてキャビネットの内部に表示パネルを配置する際に、飾り部材を取り付ける場合は、飾り部材の取付部を前キャビネット部材及び後キャビネット部材の周縁部の間に形成された隙間に配置して、該キャビネット部材に離脱不能に取り付ける。飾り部材をキャビネットに取り付けていない場合は、飾り部材の取付部を配置するために前キャビネット部材と後キャビネット部材との間に形成される隙間又は該隙間に隣接し内部空間へ通じる空間部分が、前キャビネット部材と後キャビネット部材との少なくとも一方に該隙間又は空間部分に突出するように設けた塞ぎ部によって塞がれる。
【発明の効果】
【００１５】
本発明に係るキャビネットによれば、飾り部材無しモデル及び飾り部材付きモデルでキャビネットを共用する場合に、飾り部材を取り付けないときは、飾り部材の取付部を配置するために２つのキャビネット部材の間に形成される隙間又は該隙間に隣接し内部空間へ通じる空間部分が、該隙間又は空間部分に突出するようにキャビネット部材に設けた塞ぎ部によって塞がれるので、飾り部材無しモデルでは、飾り部材を収容するために設けた隙間等を塞ぐための余分な部品を不要としつつ、内部への異物の混入を抑制することができるキャビネットが提供される。
【００１６】
本発明に係るキャビネットによれば、飾り部材の取付部をキャビネット部材に離脱不能に取り付けるために係止する手段が前記塞ぎ部によって兼用されるので、装置構成を簡素化したキャビネットが提供される。
【００１７】
本発明に係るキャビネットによれば、飾り部材の取付部をキャビネット部材に離脱不能に取り付けるための係止部を前記塞ぎ部とは別に設けているので、該係止部を塞ぎ部であるための制約を受けず適切な形状等に構成することができるキャビネットが提供される。
【００１８】
本発明に係るキャビネットによれば、飾り部材の取付部を前記２つのキャビネット部材の少なくとも一方が有する切欠に収容するので、該切欠内に飾り部材の取付部を収容して安定に配置することができるキャビネットが提供される。
【００１９】
本発明に係るキャビネットによれば、飾り部材の取付部は板材で構成されたキャビネット部材の板面と交差する方向に延設された受け部に当接して受け止められるので、飾り部材の取付部を板材の断面より大きな面積の受け部によって受け止め、安定な状態で取り付けることができるキャビネットが提供される。
【００２０】
本発明に係るキャビネットによれば、飾り部材の取付部はキャビネット部材にネジ止めされるので、簡易な手段にてキャビネット部材に離脱不能に取り付けることができるキャビネットが提供される。
【００２１】
本発明に係るキャビネットによれば、飾り部材の取付部に備えた突起部がキャビネット部材に備えた被係合部に係合するので、飾り部材の取付部をキャビネット部材に離脱不能に取り付けることができるキャビネットが提供される。
【００２２】
本発明に係る表示装置によれば、飾り部材無しモデル及び飾り部材付きモデルでキャビネットを共用する場合に、飾り部材を取り付けないときは、飾り部材の取付部を配置するために前キャビネット部材及び後キャビネット部材の間に形成される隙間又は該隙間に隣接し表示パネルが配置された内部空間へ通じる空間部分が、該隙間又は空間部分に突出するようにキャビネット部材に設けた塞ぎ部によって塞がれるので、飾り部材無しモデルでは飾り部材を収容するために設けた隙間等を塞ぐための余分な部品を不要としつつ、内部への異物の混入を抑制することができる表示装置が提供される。
【発明を実施するための最良の形態】
【００２３】
以下、本発明に係るキャビネット及び表示装置の実施の形態を液晶表示装置に適用した場合を例に図面に基づいて説明する。
【００２４】
実施の形態１
図１は本発明の実施の形態１に係る液晶表示装置の正面図、図２は図１の液晶表示装置の構造を示す側面断面図、図３は図１の一部を拡大した正面図、図４は図３のＩＶ−ＩＶ線における断面図、図５は図３のＶ−Ｖ線における断面図、図６は図１に示す液晶表示装置の一部構造を示す斜視図、図７は図１に示す液晶表示装置の一部構造を示す斜視図、図８は本発明の実施の形態１に係る液晶表示装置の一部底面図である。
【００２５】
液晶表示装置は、キャビネット２によって囲まれた空間内に、表示面１ａを有する液晶パネル１と、液晶パネル１を背面側から照射するバックライト１０と、液晶パネル１とバックライト１０との間に位置する拡散用の光学シート１１などを配置している。また、キャビネット２には、下側から突出するように飾り部材３を取り付けている。
【００２６】
キャビネット２は、プラスチックの成形品であり、液晶パネル１の表示面１ａの位置に対応する開口を中央に形成した額縁部分２１を有し、表示面１ａの前側に配置された前キャビネット部材２Ａ、及び、前キャビネット部材２Ａと外周縁部で嵌合し、液晶パネル１の側部及び後部側を覆うように配置された後キャビネット部材２Ｂからなる。尚、キャビネット２は直立するようにスタンド１２に支持されている。
【００２７】
液晶パネル１の後側に、バックライト１０の照射光を液晶パネル１へ通過させるために前キャビネット部材２Ａの額縁部分２１の開口より少し広く、液晶パネル１の外形寸法よりも狭い開口を形成した前枠部分４Ａと、該前枠部分４Ａの外周縁部に連なり、後方側に伸びる周枠部分４Ｂとを有する枠体４を配置している。枠体４はプラスチックの成形品である。液晶パネル１の周縁部を前側からクッション材５ａを介して前キャビネット部材２Ａの額縁部分２１が保持し、液晶パネル１の周縁部を後側からクッション材５ｂを介して枠体４の前枠部分４Ａが保持している。
【００２８】
バックライト１０は、前面が開口された直方体状の箱体からなるバックライトシャーシ６の内部に保持され、横置き状態で並置された複数の直線状の蛍光管にて構成されている。バックライトシャーシ６の内壁には反射膜６Ａが形成され、外周部には、後述の段付きフレーム７に組み付けるための係合凹部６Ｂを備えている。バックライトシャーシ６の外周側の前面部６Ｃは平面に形成されている。バックライトシャーシ６の背面側には間隔を隔ててバックライト用の駆動回路基板８が取り付けられている。
【００２９】
枠体４の前枠部分４Ａの後側には、枠体４の周枠部分４Ｂの内側に位置するように段付きフレーム７が配置されている。該段付きフレーム７は、内側に向けて略Ｕの字状に屈曲した断面形状の前側部分７Ａと、該前側部分７Ａの外周端部に連なり、後方に向けて伸びた後側部分７Ｂとからなる。前側部分７Ａは前部に枠体４の前枠部分４Ａの内面に当接する平面部を形成し、後面部は段部７Ｃを形成している。後側部分７Ｂの内周側は、バックライトシャーシ６の外周面に接する面に形成され、後側部分７Ｂの後端部にはバックライトシャーシ６の係合凹部６Ｂに嵌合する突部７Ｄが形成されている。
【００３０】
前キャビネット部材２Ａの額縁部分２１の外周側内壁には環状リブ２２が設けられ、該環状リブ２２とバックライトシャーシ６とを連結保持する保持枠９が設けられている。保持枠９は、バックライトシャーシ６の背面部に当接する後壁部９ａと、後壁部９ａの外周縁から前方へ伸びる内壁部９ｂと、内壁部９ｂの前端から外方へ延出され、環状リブ２２の後面部に当接する前壁部９ｃと、前壁部９ｃの外周縁から後方へ伸びる外壁部９ｄとを有している。後壁部９ａがバックライトシャーシ６の背面部にビス止めされ、前壁部９ｃが環状リブ２２の後面部にビス止めされている。これにより、液晶パネル１が前キャビネット２Ａの額縁部分２１と枠体４の前枠部分４Ａとによって前後から保持される。
【００３１】
前記保持枠９の外壁部９ｄの後端には、外方へ延出された取付片９ｅが設けてあり、該取付片９ｅには複数の緊締孔が開設してある。一方、後キャビネット部材２Ｂには、取付片９ｅの各緊締孔に対応する複数の挿通孔が設けてある。後キャビネット部材２Ｂの挿通孔へ挿通した雄螺子を保持枠９の取付片９ｅの緊締孔に捩じ込むことにより、後キャビネット部材２Ｂを保持枠９を介して前キャビネット部材２Ａと結合してある。
【００３２】
前キャビネット部材２Ａの外周側の後端部には、外側に屈曲し、次いで後方側に伸びるように屈曲した環状屈曲部２３が設けてある。後キャビネット部材２Ｂの外周側の前端部には、前記環状屈曲部２３の内面の段部に嵌合する形状の環状縁部２４を設けてある。後キャビネット部材２Ｂの下側部分の環状縁部２４には、前キャビネット部材２Ａ側に開口した矩形状の切欠２５Ａ，２５Ｂが横方向に間隔を隔てて４個形成してある。後キャビネット部材２Ｂの下側部分には、該切欠２５Ａ，２５Ｂの内端位置より後方側に位置し、後キャビネット部材２Ｂの板厚より厚い厚さとなるように外向きに突設したリブを備えた受け部２６を設けてある。
【００３３】
前キャビネット部材２Ａの下側部分の内壁には、図４に示すように、後キャビネット部材２Ｂの中央寄りの２個の切欠２５Ａの位置に対応したボス部２７を設けてあり、該ボス部２７は、切欠２５Ａを覆い、後キャビネット部材２Ｂの内壁面に沿うように突出した突起部２７Ａと、該突起部２７Ａより上側に位置したネジ孔２７Ｂとを備えている。
【００３４】
前記飾り部材３は、各切欠２５Ａに収容され、前キャビネット部材２Ａの環状屈曲部２３と後キャビネット部材２Ｂのリブ２６との間に配置される取付部３１Ａを備えている。取付部３１Ａは断面がクランク形に屈曲し上下に伸びた形状を有し、下側部分にはボス部２７の突起部２７Ａに係止される嵌合孔３３Ａを備え、上側部分にはボス部２７のネジ孔２７Ｂの位置に対応した貫通孔３４を備えている。
【００３５】
前キャビネット部材２Ａの下側部分の内壁には、図５に示すように、後キャビネット部材２Ｂの外側寄りの２個の切欠２５Ｂの位置に対応したボス部２８を設けてあり、該ボス部２８は、切欠２５Ｂを覆い、後キャビネット部材２Ｂの内壁面に沿うように突出した突起部２８Ａを備えている。
【００３６】
前記飾り部材３は、各切欠２５Ｂに収容され、前キャビネット部材２Ａの環状屈曲部２３と後キャビネット部材２Ｂのリブ２６との間に配置される取付部３１Ｂを備えている。取付部３１Ｂは上下に伸びた平面形状を有し、ボス部２８の突起部２８Ａに係止される嵌合孔３３Ｂを備えている。
【００３７】
前記飾り部材３は、前記取付部３１Ａ，３１Ｂに一体に連なり、キャビネット２の略全幅に対応する横幅を有し、キャビネット２の外側（下側）に位置する飾り部３２を備えている。
【００３８】
以上の構成により、キャビネット２に飾り部材３を取り付ける場合は、図６及び図７に示すように、前キャビネット部材２Ａの各ボス部２７，２８の各突起部２７Ａ，２８Ａを飾り部材３の各取付部３１Ａ，３１Ｂの各嵌合孔３３Ａ，３３Ｂに係止させ、取付部３１Ａの貫通孔３４より大径の頭を有するビス１３を貫通孔３４に通し、ボス部２７のネジ孔２７Ｂにネジ止めする。次に、飾り部材３の各取付部３１Ａ，３１Ｂが後キャビネット部材２Ｂの各切欠２５Ａ，２５Ｂに収容され、前キャビネット部材２Ａの環状屈曲部２３と後キャビネット部材２Ｂの受け部２６との間に配置される状態にし、前キャビネット部材２Ａの環状屈曲部２３に後キャビネット部材２Ｂの環状縁部２４を嵌合させ、前述のように後キャビネット部材２Ｂを保持枠９にネジ止めして固定する。
【００３９】
一方、飾り部材３を取り付けていない場合は、図８に示すように、前キャビネット部材２Ａの各突起部２７Ａ，２８Ａが後キャビネット部材２Ｂの各切欠２５Ａ，２５Ｂを塞ぐように突出する。この場合、各突起部２７Ａ，２８Ａは各切欠２５Ａ，２５Ｂに対して上下にずれた位置に突出している。しかし、キャビネット２を底部側から見たときに、各突起部２７Ａ，２８Ａは各切欠２５Ａ，２５Ｂに重なり、各切欠２５Ａ，２５Ｂに対応する開口は２つの小面積の開口部分に区分されるので、キャビネット２内への虫等の小動物や異物の侵入を抑制することができる。実施の形態１では、各取付部３１Ａ，３１Ｂの嵌合孔３３Ａ，３３Ｂを係止する突起部２７Ａ，２７Ｂが、後キャビネット部材２Ｂの各切欠２５Ａ，２５Ｂを塞ぐ塞ぎ部に兼用されている。
【００４０】
実施の形態２
図９は本発明の実施の形態２に係る液晶表示装置の要部を示す断面図、図１０は本発明の実施の形態２に係る液晶表示装置の一部底面図である。
実施の形態２では、飾り部材３の取付部３１Ａ，３１Ｂが有する嵌合孔３３Ａ，３３Ｂに係止する突起部を後キャビネット部材２Ｂに設けてある点が実施の形態１と異なる。具体的には、後キャビネット部材２Ｂの外周側の前端部には、内側に屈曲し、次いで前方側に伸びるように屈曲した環状屈曲部２９を設け、該環状屈曲部２９に、飾り部材３の４個の取付部３１Ａ，３１Ｂを収容する４個の切欠２９Ａを形成するとともに、各切欠２９Ａ内に突出する突起部２９Ｂを設けている。
【００４１】
図９には、後キャビネット部材２Ｂの外側寄りの２個の切欠２９Ａに収容される取付部３１Ｂの嵌合孔３３Ｂが後キャビネット部材２Ｂ側から突出した突起部２９Ｂに係止される状態を示すが、後キャビネット部材２Ｂの中央寄りの２個の切欠２９Ａに収容される取付部３１Ａの嵌合孔３３Ａも同様に、後キャビネット部材２Ｂ側から突出した突起部２９Ｂに係止される。飾り部材３を取り付けていない場合は、図１０に示すように、後キャビネット部材２Ｂの各切欠２９Ａが突起部２９Ｂによって塞がれる。この場合、各突起部２９Ｂは各切欠２９Ａ内に突出している。その結果、各切欠２９Ａからキャビネット２内への虫等の小動物や異物の侵入を抑制することができる。実施の形態２では、嵌合孔３３Ａ，３３Ｂを係止する突起部２９Ｂが、後キャビネット部材２Ｂの各切欠２９Ａに隣接しキャビネット２の内部空間へ通じる空間部分Ｓを塞ぐ塞ぎ部に兼用されている。
【００４２】
実施の形態３
図１１は本発明の実施の形態３に係る液晶表示装置の要部を示す断面図、図１２は本発明の実施の形態３に係る液晶表示装置の一部底面図である。
実施の形態１、２では、飾り部材３の取付部３１Ａ，３１Ｂが後キャビネット部材２Ｂの各切欠２５Ａ，２５Ｂ，２９Ａからキャビネット２の内部に進入した形状としたが、実施の形態３では、飾り部材３の取付部３１Ｃはキャビネット２の内部に進入しない形状とした点が異なる。
【００４３】
具体的には、前キャビネット部材２Ａの環状屈曲部２３を実施の形態１、２の場合より大きく外側へ張り出すようにし、環状屈曲部２３と、後キャビネット部材２Ｂの環状縁部２４及び受け部２６とで囲まれる空間Ｓに飾り部材３の取付部３１Ｃを配置する。環状屈曲部２３には、飾り部材３の取付部３１Ｃを収容する切欠２３Ａを形成するとともに、各切欠２３Ａ内に突出する突起部２３Ｂを設けている。
【００４４】
飾り部材３を取り付けた場合は、前キャビネット部材２Ａの各切欠２３Ａに収容される取付部３１Ｃの嵌合孔３３Ｃが前キャビネット部材２Ａ側の突起部２３Ｂによって係止される。飾り部材３を取り付けていない場合は、前キャビネット部材２Ａの各切欠２３Ａが突起部２３Ｂによって塞がれるとともに、前キャビネット部材２Ａの各切欠２３Ａからキャビネット２の内部空間に通じる空間部分Ｓが環状縁部２４によって塞がれる。その結果、各切欠２３Ａからキャビネット２内への虫等の小動物や異物の侵入を抑制することができる。実施の形態３では、取付部３１Ｃの嵌合孔３３Ｃを係止する突起部２３Ｂが前キャビネット部材２Ａの各切欠２３Ａを塞ぐ塞ぎ部に兼用されるとともに、後キャビネット部材２Ｂの環状縁部２４が前キャビネット部材２Ａの各切欠２３Ａに隣接しキャビネット２の内部空間へ通じる空間部分Ｓを塞ぐ塞ぎ部に対応する。
【００４５】
実施の形態４
図１３は本発明の実施の形態４に係る液晶表示装置の要部を示す断面図、図１４は本発明の実施の形態４に係る液晶表示装置の一部底面図である。
実施の形態４では、後キャビネット部材２Ｂの受け部２６の先端（下端）に前方側へ屈曲した庇状の延長部２６Ａが設けられ、該延長部２６Ａに、飾り部材３の取付部３１Ｃを収容する切欠２６Ｂを形成するとともに、各切欠２６Ｂ内に突出する突起部２６Ｃを設けている点が実施の形態３と異なる。
【００４６】
飾り部材３を取り付けた場合は、後キャビネット部材２Ｂの各切欠２６Ｂに収容される取付部３１Ｃの嵌合孔３３Ｃが後キャビネット部材２Ｂ側の突起部２６Ｃによって係止される。飾り部材３を取り付けていない場合は、後キャビネット部材２Ｂの各切欠２６Ｂが突起部２６Ｃによって塞がれるとともに、後キャビネット部材２Ｂの各切欠２６Ｂからキャビネット２の内部空間に通じる空間部分Ｓが環状縁部２４によって塞がれる。その結果、各切欠２６Ｂからキャビネット２内への虫等の小動物や異物の侵入を抑制することができる。実施の形態４では、取付部３１Ｃの嵌合孔３３Ｃを係止する突起部２６Ｃが後キャビネット部材２Ｂの各切欠２６Ｂを塞ぐ塞ぎ部に兼用されるとともに、後キャビネット部材２Ｂの環状縁部２４が後キャビネット部材２Ｂの各切欠２６Ｂに隣接しキャビネット２の内部空間へ通じる空間部分Ｓを塞ぐ塞ぎ部に対応する。
【００４７】
実施の形態５
図１５は本発明の実施の形態５に係る液晶表示装置の要部を示す断面図、図１６は本発明の実施の形態５に係る液晶表示装置の一部底面図である。
実施の形態５では、飾り部材３の取付部３１Ｄに係止用の嵌合孔を設けずに取付部３１Ｄを係止する点で実施の形態３と異なる。具体的には、前キャビネット部材２Ａの環状屈曲部２３に、飾り部材３の取付部３１Ｄを収容する切欠２３Ｃを形成し、一方、取付部３１Ｄに、環状屈曲部２３に外嵌する凹溝部３４を設けている。
【００４８】
飾り部材３を取り付けた場合は、前キャビネット部材２Ａの各切欠２３Ｃに収容される取付部３１Ｄの凹溝部３４を前キャビネット部材２Ａの環状屈曲部２３に外嵌して係止させる。飾り部材３を取り付けていない場合は、前キャビネット部材２Ａの各切欠２３Ｃからキャビネット２の内部空間に通じる空間部分Ｓが環状縁部２４によって塞がれる。その結果、各切欠２３Ｃからキャビネット２内への虫等の小動物や異物の侵入を抑制することができる。実施の形態５では、後キャビネット部材２Ｂの環状縁部２４が前キャビネット部材２Ａの各切欠２３Ｃに隣接しキャビネット２の内部空間へ通じる空間部分Ｓを塞ぐ塞ぎ部に対応する。
【００４９】
実施の形態６
図１７は本発明の実施の形態６に係る液晶表示装置の要部を示す断面図、図１８は本発明の実施の形態６に係る液晶表示装置の一部底面図である。
実施の形態６では、飾り部材３の取付部３１Ｅに係止用の嵌合孔を設けずに取付部３１Ｅを係止する点で実施の形態４と異なる。具体的には、前記受け部２６の延長部２６Ａに、飾り部材３の取付部３１Ｅを収容する切欠２６Ｄを形成し、一方、取付部３１Ｅに、延長部２６Ａに係合する段部３５を設けている。
【００５０】
飾り部材３を取り付けた場合は、後キャビネット部材２Ｂの各切欠２６Ｄに収容される取付部３１Ｅの段部３５を受け部２６の延長部２６Ａに係合して係止させる。飾り部材３を取り付けていない場合は、後キャビネット部材２Ｂの各切欠２６Ｄからキャビネット２の内部空間に通じる空間部分Ｓが環状縁部２４によって塞がれる。その結果、各切欠２６Ｄからキャビネット２内への虫等の小動物や異物の侵入を抑制することができる。実施の形態６では、後キャビネット部材２Ｂの環状縁部２４が後キャビネット部材２Ｂの各切欠２６Ｄに隣接しキャビネット２の内部空間へ通じる空間部分Ｓを塞ぐ塞ぎ部に対応する。
【００５１】
実施の形態７
図１９は本発明の実施の形態７に係る液晶表示装置の要部を示す断面図である。
実施の形態１〜６では、キャビネット部材２Ａ，２Ｂの側に、飾り部材３の取付部３１Ａ〜Ｅに係止する係止部又は突起部を設けたが、実施の形態７では、飾り部材３の取付部Ｆがキャビネット部材２Ａ，２Ｂに係合する係合部を有し、キャビネット部材２Ａ，２Ｂが被係合部を備える点で異なる。
【００５２】
具体的には、前キャビネット部材２Ａの環状屈曲部２３に、飾り部材３の取付部３１Ｆを収容する切欠２３Ｃを形成し、また、取付部３１Ｆから後方側に伸びる突起部３６を備えるとともに、後キャビネット部材２Ｂの受け部２６に、突起部３６に嵌合する嵌合孔２６Ｅを設けている。
【００５３】
飾り部材３を取り付けた場合は、前キャビネット部材２Ａの各切欠２３Ｃに収容される取付部３１Ｆの突起部３６を受け部２６の嵌合孔２６Ｅに係合させる。飾り部材３を取り付けていない場合は、前キャビネット部材２Ａの各切欠２３Ｃからキャビネット２の内部空間に通じる空間部分Ｓが環状縁部２４によって塞がれる。尚、この場合の底面図は図１６と同様のものとなる。その結果、各切欠２３Ｃからキャビネット２内への虫等の小動物や異物の侵入を抑制することができる。実施の形態７では、後キャビネット部材２Ｂの環状縁部２４が前キャビネット部材２Ａの各切欠２３Ｃに隣接しキャビネット２の内部空間へ通じる空間部分Ｓを塞ぐ塞ぎ部に対応する。
【００５４】
前述の実施の形態１〜７では、飾り部材３の取付部３１Ａ〜Ｆを前キャビネット部材及び後キャビネット部材２Ａ，２Ｂの横幅方向の４箇所に設けたが、４箇所以外の複数個所に設けてもよく、あるいは、全幅に亘って連続して設けてもよい。
【００５５】
前述の実施の形態１〜７では、本発明に係る表示装置を液晶表示装置の液晶パネルを支持する構造に適用したが、例えば、ＰＤＰ（プラズマディスプレイパネル）、有機ＥＬ（エレクトロ・ルミネッセンス）テレビ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）テレビ、ＬＥＤ（Ｌｉｇｈｔ  Ｅｍｉｔｔｉｎｇ  Ｄｉｏｄｅ）ディスプレイなどの薄型表示装置において、飾り部材をキャビネットに取り付ける場合に適用できる。
【図面の簡単な説明】
【００５６】
【図１】本発明の実施の形態１に係る液晶表示装置の正面図である。
【図２】図１の液晶表示装置の構造を示す側面断面図である。
【図３】図１の液晶表示装置の一部を拡大した正面図である。
【図４】図３のＩＶ−ＩＶ線における断面図である。
【図５】図３のＶ−Ｖ線における断面図である。
【図６】図１に示す液晶表示装置の一部構造を示す斜視図である。
【図７】図１に示す液晶表示装置の一部構造を示す斜視図である。
【図８】本発明の実施の形態１に係る液晶表示装置の一部底面図である。
【図９】本発明の実施の形態２に係る液晶表示装置の要部を示す断面図である。
【図１０】本発明の実施の形態２に係る液晶表示装置の一部底面図である。
【図１１】本発明の実施の形態３に係る液晶表示装置の要部を示す断面図である。
【図１２】本発明の実施の形態３に係る液晶表示装置の一部底面図である。
【図１３】本発明の実施の形態４に係る液晶表示装置の要部を示す断面図である。
【図１４】本発明の実施の形態４に係る液晶表示装置の一部底面図である。
【図１５】本発明の実施の形態５に係る液晶表示装置の要部を示す断面図である。
【図１６】本発明の実施の形態５に係る液晶表示装置の一部底面図である。
【図１７】本発明の実施の形態６に係る液晶表示装置の要部を示す断面図である。
【図１８】本発明の実施の形態６に係る液晶表示装置の一部底面図である。
【図１９】本発明の実施の形態７に係る液晶表示装置の要部を示す断面図である。
【符号の説明】
【００５７】
１        液晶パネル（表示パネル）
１ａ      表示面
２        キャビネット
２Ａ      前キャビネット部材
２Ｂ      後キャビネット部材
２３      環状屈曲部（係止部）
２３Ｂ    突起部（係止部）
２３Ｃ    切欠（隙間）
２４      環状縁部（塞ぎ部）
２５Ａ    切欠（隙間）
２５Ｂ    切欠（隙間）
２６      受け部
２６Ａ    延長部（係止部）
２６Ｂ    切欠（隙間）
２６Ｃ    突起部（塞ぎ部）
２６Ｅ    嵌合孔（被係止部）
２７Ａ    突起部（塞ぎ部）
２８Ａ    突起部（塞ぎ部）
２９Ａ    切欠（隙間）
２９Ｂ    突起部（塞ぎ部）
３        飾り部材
３１Ａ    取付部
３１Ｂ    取付部
３１Ｃ    取付部
３１Ｄ    取付部
３１Ｅ    取付部
３２      飾り部
３３Ａ    嵌合孔（被係止部）
３３Ｂ    嵌合孔（被係止部）
３３Ｃ    嵌合孔（被係止部）
３４      凹溝部（被係止部）
３５      段部（被係止部）
３６      突起部
Ｓ        空間部分
【図１】
2010157876.tif 000003
【図２】
2010157876.tif 000004
【図３】
2010157876.tif 000005
【図４】
2010157876.tif 000006
【図５】
2010157876.tif 000007
【図６】
2010157876.tif 000008
【図７】
2010157876.tif 000009
【図８】
2010157876.tif 000010
【図９】
2010157876.tif 000011
【図１０】
2010157876.tif 000012
【図１１】
2010157876.tif 000013
【図１２】
2010157876.tif 000014
【図１３】
2010157876.tif 000015
【図１４】
2010157876.tif 000016
【図１５】
2010157876.tif 000017
【図１６】
2010157876.tif 000018
【図１７】
2010157876.tif 000019
【図１８】
2010157876.tif 000020
【図１９】
2010157876.tif 000021